(57)【要約】【課題】  大気開放穴への昆虫の侵入を防止し、精確、安定、簡便、低コストの圧力伝送器を提供する。【解決手段】  大気開放穴から入力する大気圧を基準とする圧力を測定する圧力伝送器において、前記大気開放穴に装着するスクリーン手段を備えることを特徴とする圧力伝送器。【選択図】                    図１
2006052957.tif 000002
【特許請求の範囲】
【請求項１】
大気開放穴から入力する大気圧を基準とする圧力を測定する圧力伝送器において、
前記大気開放穴に装着するスクリーン手段を備えることを特徴とする圧力伝送器。
【請求項２】
前記スクリーン手段は、大気側カバーフランジに形成する前記大気開放穴のねじのピッチに合うワイヤから形成する本体を備えることを特徴とする請求項１記載の圧力伝送器。
【請求項３】
前記本体は、円筒状に形成するねじ噛合い部と、前記ねじ噛合い部に連続して形成するスクリーン嵌合い部とを備えることを特徴とする請求項２記載の圧力伝送器。
【請求項４】
前記スクリーン手段は、前記スクリーン嵌合い部に合う折返しを有するスクリーンを備えることを特徴とする請求項３記載の圧力伝送器。
【請求項５】
前記スクリーンは、１ｍｍから１．５ｍｍ程度の大気開放孔を有することを特徴とする請求項４記載の圧力伝送器。
【発明の詳細な説明】
【技術分野】
【０００１】
本発明は、大気圧を基準とする圧力を測定する圧力伝送器に関する。
【背景技術】
【０００２】
以下に、図４を用いて従来の圧力伝送器を説明する。図４は、従来の圧力伝送器の構成図であり、図４（ａ）は従来の圧力伝送器の側面図であり、図４（ｂ）は従来の圧力伝送器の正面図である。
【０００３】
圧力伝送器は、伝送部４５と受圧部４６とを有する。また、受圧部４６は、プロセス側カバーフランジ４２と受圧カプセル４３と大気側カバーフランジ４４とを有する。さらに、プロセス側カバーフランジ４２は圧力導入孔４１を有し、大気側カバーフランジ４４は大気開放穴４７を有する。また、プロセス側カバーフランジ４２と大気側カバーフランジ４４とは、受圧カプセル４３を挟み込むように４本のボルトで固定する。
【０００４】
このような図４の従来例の動作を説明する。プロセスの圧力は圧力導入孔４１を介して受圧カプセル４３に入力し、大気圧は大気開放穴４７を介して受圧カプセル４３に入力し、受圧カプセル４３は大気圧を基準とするプロセスの圧力の信号を生成し、伝送部４５は所定の信号に変換する。このようにして、図４の従来例は、大気圧を基準とする圧力を測定する。
【０００５】
【特許文献１】特開２００３−２２７７７０号公報
【発明の開示】
【発明が解決しようとする課題】
【０００６】
しかしながら、大気開放穴４７に蜂などの昆虫が巣をつくり、大気開放穴４７が閉塞するという課題がある。大気開放穴４７が閉塞すると大気圧が受圧カプセル４３に伝達されず、精確な圧力測定ができないという課題がある。
【０００７】
本発明の目的は、以上説明した課題を解決するものであり、大気開放穴への昆虫の侵入を防止する圧力伝送器を提供することにある。また、本発明の目的は、精確で安定な圧力伝送器を提供することにある。さらに、本発明の目的は、簡便で低コストの圧力伝送器を提供することにある。
【課題を解決するための手段】
【０００８】
このような目的を達成する本発明は、次の通りである。
（１）大気開放穴から入力する大気圧を基準とする圧力を測定する圧力伝送器において、前記大気開放穴に装着するスクリーン手段を備えることを特徴とする圧力伝送器。
（２）前記スクリーン手段は、大気側カバーフランジに形成する前記大気開放穴のねじのピッチに合うワイヤから形成する本体を備えることを特徴とする（１）記載の圧力伝送器。
（３）前記本体は、円筒状に形成するねじ噛合い部と、前記ねじ噛合い部に連続して形成するスクリーン嵌合い部とを備えることを特徴とする（２）記載の圧力伝送器。
（４）前記スクリーン手段は、前記スクリーン嵌合い部に合う折返しを有するスクリーンを備えることを特徴とする（３）記載の圧力伝送器。
（５）前記スクリーンは、１ｍｍから１．５ｍｍ程度の大気開放孔を有することを特徴とする（４）記載の圧力伝送器。
【発明の効果】
【０００９】
以上説明したことから明らかなように、本発明によれば次のような効果がある。
本発明によれば、大気開放穴への昆虫の侵入を防止する圧力伝送器を提供できる。また、本発明によれば、精確で安定な圧力伝送器を提供できる。さらに、本発明によれば、簡便で低コストの圧力伝送器を提供できる。
【００１０】
また、スクリーンの向きを容易に変更できる。さらに、雨水が容易に抜ける。また、交換作業が容易にできる。さらに、振動があってもスクリーン手段は脱落しにくい。
【発明を実施するための最良の形態】
【００１１】
以下に図１に基づいて本発明を詳細に説明する。図１は、本発明の一実施例における虫除け用のスクリーン手段である虫除けスクリーンを示す断面図である。図１の大気側カバーフランジ１１及び大気開放穴１３は、図４の大気側カバーフランジ４４及び大気開放穴４７に対応する。そして、図１の実施例は、図４の大気側カバーフランジ４４及び大気開放穴４７以外に相当する構成の記載を省略している。
【００１２】
図１の実施例の特徴は、大気開放穴１３に装着する虫除けスクリーン１２にある。
大気側カバーフランジ１１の大気開放穴１３はねじ加工される。また、大気開放穴１３において、ねじ加工される部分の穴径は、ねじ加工されない部分の穴径よりも大きい。そして、大気開放穴１３と虫除けスクリーン１２とは、このねじにより固定する。
【００１３】
このような、虫除けスクリーン１２は、大気開放穴１３への昆虫の侵入を防止する。
【００１４】
図１の実施例の構成を図２及び図３を用いて詳しく説明する。図２（ａ）は虫除けスクリーン１２の本体２０の断面図であり、図２（ｂ）は除けスクリーン１２のスクリーン２５の断面図である。
【００１５】
虫除けスクリーン１２は、本体２０とスクリーン２５とから形成する。また、本体２０は、大気開放穴１３のねじのピッチに合うワイヤから形成する。さらに、本体２０は、円筒状に形成するねじ噛合い部２１と、ねじ噛合い部２１に連続して形成するスクリーン嵌合い部２３とを備える。
【００１６】
また、スクリーン２５は、スクリーン嵌合い部２２に合う折返し２５を有する。そして、スクリーン２５はスクリーン嵌合い部２２に着脱可能である。
【００１７】
図３は、虫除けスクリーン１２のスクリーン２５の正面図である。スクリーン２５は、１ｍｍから１．５ｍｍ程度の大気開放孔３１を複数個備える。なお、大気開放孔３１の形状は、長方形であっても、円形であってもよい。
【００１８】
さらに、本体２０とスクリーン２５とは、耐食性に優れた材料、例えば、ステンレス鋼で形成する。
【００１９】
このような、図１の実施例は、本体２０のねじ噛合い部２１がねじのピッチに合うワイヤから形成されているため、滑らかにねじ込み（装着）の作業ができる。そして、ワイヤの弾力により、装着後の緩みが生じにくい。また、スクリーン嵌合い部２２のワイヤの弾力により、スクリーン２５が脱落しにくい。
【００２０】
さらに、虫除けスクリーン１２が老朽化した場合に、交換が容易にできる。
【００２１】
また、虫除けスクリーン１２を大気側カバーフランジ１１の大気開放穴１３にねじ込んだとき、スクリーン２５の大気開放孔３１が上方に位置しても、スクリーン２５を作業者の指で回すことにより、容易にスクリーン２５の大気開放孔３１を下方に移動できる。さらにまた、大気開放孔３１を下方にすると、雨水の浸入を抑制できる。
【００２２】
さらに、大気開放孔３１が１ｍｍから１．５ｍｍ程度であると昆虫の巣ができにくい。なお、昆虫は５ｍｍから８ｍｍくらいの穴があると巣を作りやすいといわれる。
【００２３】
また、上述の実施例とは別に、大気側カバーフランジ１１の大気開放穴１３は、テーパねじでもよく、平行ねじでもよい。平行ねじとする場合は、本体２０のねじ噛合い部２１に相当する構成を平行な円筒にする。
【００２４】
以上のように、本発明は、前述の実施例に限定されることなく、その本質を逸脱しない範囲でさらに多くの変更及び変形を含むものである。
【図面の簡単な説明】
【００２５】
【図１】本発明の一実施例における虫除けスクリーンを示す断面図である。
【図２】虫除けスクリーンの本体とスクリーンとの断面図である。
【図３】虫除けスクリーンの正面図である。
【図４】従来の圧力伝送器の構成図である。
【符号の説明】
【００２６】
１１  大気側カバーフランジ
１２  虫除けスクリーン
１３  大気開放穴
２０  本体
２１  ねじ噛合い部
２２  スクリーン嵌合い部
２３  折返し
２５  スクリーン
３１  大気開放孔
【図１】
2006052957.tif 000003
【図２】
2006052957.tif 000004
【図３】
2006052957.tif 000005
【図４】
2006052957.tif 000006